(57)【特許請求の範囲】
【請求項１】
溶接ワイヤが送給ロールによって送給される溶接ワイヤ送給装置の前記溶接ワイヤの送出口に設けられるトーチコネクションであって、
内部に前記溶接ワイヤが挿通されて、内部にシールドガス及び電力が供給され、
先端部に溶接トーチが接続される前記トーチコネクションにおいて、
軸心部に前記溶接ワイヤが挿通される溶接ワイヤ挿通孔が形成され、金属で形成された給電金具と、
前記給電金具が挿通されて、前記送給ロール方向に係止する係止部が形成された給電金具挿通孔が形成され、ガス穴が軸心方向に貫通して形成され、先端部に前記溶接トーチが接続されるトーチ接続部材と、
前記給電金具が挿入される給電金具挿通孔が形成され、前記給電金具が位置決めされ、ガスホースが接続されるガス流路が内部に形成され、外部にパワーケーブルが接続され、外部でワイヤ送給機フレームに取り付けられ、金属で形成されたワイヤガス電力供給手段とを備え、
前記パワーケーブルから前記ワイヤガス電力供給手段に供給される前記電力が、前記給電金具を経由して前記溶接トーチに供給され、
前記ガスホースから前記ワイヤガス電力供給手段に供給される前記シールドガスが、前記トーチ接続部材の前記ガス穴を経由して前記溶接トーチに供給されることを特徴とするトーチコネクション。
【請求項２】
前記トーチ接続部材に、前記溶接トーチからの制御信号が流れるトーチスイッチピンが設けられ、
前記溶接トーチからの前記制御信号が流れるトーチスイッチコードの先端部が前記トーチスイッチピンに接続され、
ガスノズルの先端部が前記トーチ接続部材の前記ガス穴に挿入され、前記ガスノズルの基端部が前記ワイヤガス電力供給手段に形成された前記ガス流路に挿入されることを特徴とする請求項１記載のトーチコネクション。
【請求項３】
前記送給ロールによって送給される前記溶接ワイヤをガイドするアウトレットガイドの先端部が前記給電金具の基端部に挿入されたことを特徴とする請求項１又は請求項２記載のトーチコネクション。
【請求項４】
前記係止部が、前記給電金具の外周面に先端部側が拡径するように形成された段部が、前記トーチ接続部材の前記給電金具挿通孔の内周面に、前記給電金具の外周面に形成された前記段部に対応するように先端部側が拡径するように形成された段部に引っ掛かることによって形成されることを特徴とする請求項１〜３のいずれか１項に記載のトーチコネクション。
【請求項５】
前記係止部が、前記給電金具の先端部に雄ねじが形成され、前記トーチ接続部材の前記給電金具挿通孔の内部に、前記給電金具の前記雄ねじに対応した雌ねじが形成されて、前記トーチ接続部材の基端部から前記給電金具の先端部が挿入されて、ねじ止めされて形成され、
前記トーチ接続部材が金属で形成されることを特徴とする請求項１〜３のいずれか１項に記載のトーチコネクション。
【請求項６】
請求項１〜５のいずれか１項に記載のトーチコネクションを使用することを特徴とする溶接ワイヤ送給装置。
【請求項７】
請求項１〜５のいずれか１項に記載のトーチコネクションに使用される前記トーチ接続部材と前記給電金具とからなるトーチ接続給電部材。
【発明の詳細な説明】
【技術分野】
【０００１】
本発明は、消耗電極ガスシールドアーク溶接に使用され、溶接ワイヤを送給するためのトーチコネクション、溶接ワイヤ送給装置及びトーチ接続給電部材に関するものである。
【背景技術】
【０００２】
消耗電極ガスシールドアーク溶接において、安定して溶接ワイヤを送給するために溶接ワイヤ送給装置が使用されている。従来、図７〜１０に示す溶接ワイヤ送給装置１が提案されていた。図７（Ａ）は、従来技術の溶接ワイヤ送給装置１の後方から見たときのワイヤリール３とワイヤスタンド５を示す図であり、図７（Ｂ）は、従来技術の溶接ワイヤ送給装置１の構成を示す図であり、図８は、従来技術の溶接ワイヤ送給装置１のワイヤ送給部４を示す図であり、図９（Ａ）は、従来技術の溶接ワイヤ送給装置１のトーチコネクション１３を側面から見た部分断面図であり、図９（Ｂ）は、従来技術の溶接ワイヤ送給装置１のトーチコネクション１３を溶接トーチ７側から見た図であり、図１０は、従来技術及び本発明の溶接ワイヤ送給装置の２種類のトーチコネクションの接続箇所を示す図である。
【０００３】
図７及び図８において、ワイヤ送給装置本体２に取り付けられたワイヤリール３から溶接ワイヤ１６が送り出される。ワイヤリール３から送り出された溶接ワイヤ１６は、ワイヤ送給装置本体２に取り付けられたワイヤ送給部４に挿入される。
【０００４】
ワイヤ送給部４は、モータ６によって送給ロール８ａ、８ｂが回転して、加圧ロール９ａ、９ｂとによって、溶接ワイヤ１６がそれぞれ挟まれて加圧されて送給される。センターガイド１１は、送給ロール８ａと送給ロール８ｂの間に設けられて、インレットガイド１０から挿入された溶接ワイヤ１６をガイドする。アウトレットガイド１２は、ワイヤ送給部４の溶接ワイヤ１６の送出部に設けられていて、溶接ワイヤ１６をガイドする。一線式パワーケーブル１５がアウトレットガイド１２から送出された溶接ワイヤ１６を溶接トーチ７までガイドしている。
【０００５】
溶接トーチ７を溶接ワイヤ送給装置１に接続する部分には、トーチコネクション１３が設けてある。図９に示すように、従来技術のトーチコネクション１３は、トーチ接続部材１７と給電金具１８と給電ブロック１９との３つの部品からなる。トーチ接続部材１７には、ガスホース２０と、溶接トーチ７からの制御信号を溶接電源（図示省略）に接続された制御ケーブル（図示省略）に供給するためのトーチスイッチコード２１が接続されている。
【０００６】
トーチ接続部材１７には、給電金具１８が挿通される給電金具挿通孔１７ａが形成されている。給電金具１８の外周面に、先端部側が拡径するように段部１８ｂが形成され、トーチ接続部材１７の給電金具挿通孔１７ａの内周面に、給電金具１８の段部１８ｂに対応して先端部側が拡径するように、段部１７ｂが形成されている。給電金具１８を、トーチ接続部材１７の先端部側から給電金具挿通孔１７ａに挿入して、給電金具１８の段部１８ｂが、トーチ接続部材１７の給電金具挿通孔１７ａの段部１７ｂに引っ掛かる。給電ブロック１９がトーチ接続部材１７の基端部に当接して、給電ブロック１９が給電金具１８の外周面に取り付けられ、給電ブロック１９のねじを締め付けることによって、トーチ接続部材１７の給電金具１８の軸心方向が位置決めされる。給電ブロック１９には、電力を供給するためのパワーケーブル（図示省略）が接続されている。給電金具１８には、溶接ワイヤ１６をガイドするアウトレットガイド１２が装着されている。アウトレットガイド１２は、給電金具１８に固定されておらず。アウトレットガイド１２は、給電金具１８内に挿入されているだけである。給電金具１８の基端部がワイヤ送給部４に固定されている。
【０００７】
溶接トーチ７に接続された一線式パワーケーブル１５の基端部には、溶接トーチ７のトーチスイッチを動作させたときの制御信号が流れるトーチスイッチピン（図示省略）が２つ設けられ、シールドガスが流れるガス接続金具（図示省略）が取り付けられ、溶接トーチ７に電力を供給し、溶接ワイヤ１６が挿通される給電部（図示省略）が設けられている。
【０００８】
パワーケーブル（図示省略）から給電ブロック１９に供給された電力が、給電金具１８へ供給されて、給電金具１８から一線式パワーケーブル１５を経由して溶接トーチ７へ供給される。ガスボンベ（図示省略）から供給されたシールドガスが、ガスホース２０によってトーチ接続部材１７に供給されて、一線式パワーケーブル１５を経由して溶接トーチ７へ供給される。また、送給ロール８ｂによって送出された溶接ワイヤが、アウトレットガイド１２によってガイドされて、一線式パワーケーブル１５によってガイドされて溶接トーチ７へ送給される。トーチコネクション１３は、溶接トーチ７の一線式パワーケーブル１５を機械的に溶接ワイヤ送給装置１に接続するとともに、溶接ワイヤ送給装置１から溶接トーチ７へ溶接ワイヤ１６、電力及びシールドガスを供給し、溶接トーチ７からの制御信号を溶接電源（図示省略）へ供給ためのトーチスイッチコード２１を接続する機能がある。
【０００９】
トーチコネクション１３のトーチ接続部材１７には、一線式パワーケーブル１５の基端部に設けられた２つのトーチスイッチピン（図示省略）が挿入される２つのトーチスイッチピン２３ａ、２３ｂが設けられている。また、トーチコネクション１３のトーチ接続部材１７には、一線式パワーケーブル１５の基端部に設けられたガス接続金具（図示省略）が挿入されるガス穴２４が設けられている。また、トーチコネクション１３の給電金具１８の先端部に、一線式パワーケーブル１５の基端部に設けられた給電部（図示省略）が挿入される。図１０に示すように、トーチコネクション１３のトーチ接続部材１７つのトーチスイッチピン２３ａ、２３ｂと、ガス穴２４と、給電金具１８の形状及び位置は、溶接トーチ７の種類によって異なっている。例えば、図１０（Ａ）は、日本等で主に使用される溶接トーチ７に対応するトーチコネクション１３の接続箇所を示す図であり、図１０（Ｂ）は、ヨーロッパで主に使用される溶接トーチ７に対応するトーチコネクション１３の接続箇所を示す図である。
【先行技術文献】
【特許文献】
【００１０】
【特許文献１】特開２００９−１３１８７３号公報
【発明の概要】
【発明が解決しようとする課題】
【００１１】
上述した従来技術の溶接ワイヤ送給装置１のトーチコネクション１３を、２つのトーチスイッチピン２３ａ，２３ｂと、ガス穴３４ｂと、給電金具１８の形状及び位置が異なるトーチコネクション１３と交換する場合、給電金具１８をワイヤ送給部４から取り外し、給電ブロック１９のねじをゆるめて、給電金具１８を溶接トーチ７側から取り外し、ガスホース２０をトーチ接続部材１７から取り外し、トーチ接続部材１７のトーチスイッチコード２１のコネクタ２１ａを制御ケーブル（図示省略）のコネクタから取り外して、トーチ接続部材１７と給電金具１８とを交換していた。そのために、トーチ接続部材１７と給電金具１８とを容易に交換することができなかった。
【００１２】
本発明は、トーチ接続部材と給電金具とを容易に交換することができるトーチコネクション、溶接ワイヤ送給装置及びトーチ接続給電部材を提供することを目的としている。
【課題を解決するための手段】
【００１３】
上述した課題を解決するために、請求項１の発明は、
溶接ワイヤが送給ロールによって送給される溶接ワイヤ送給装置の前記溶接ワイヤの送出口に設けられるトーチコネクションであって、
内部に前記溶接ワイヤが挿通されて、内部にシールドガス及び電力が供給され、
先端部に溶接トーチが接続される前記トーチコネクションにおいて、
軸心部に前記溶接ワイヤが挿通される溶接ワイヤ挿通孔が形成され、金属で形成された給電金具と、
前記給電金具が挿通されて、前記送給ロール方向に係止する係止部が形成された給電金具挿通孔が形成され、ガス穴が軸心方向に貫通して形成され、先端部に前記溶接トーチが接続されるトーチ接続部材と、
前記給電金具が挿入される給電金具挿通孔が形成され、前記給電金具が位置決めされ、ガスホースが接続されるガス流路が内部に形成され、外部にパワーケーブルが接続され、外部でワイヤ送給機フレームに取り付けられ、金属で形成されたワイヤガス電力供給手段とを備え、
前記パワーケーブルから前記ワイヤガス電力供給手段に供給される前記電力が、前記給電金具を経由して前記溶接トーチに供給され、
前記ガスホースから前記ワイヤガス電力供給手段に供給される前記シールドガスが、前記トーチ接続部材の前記ガス穴を経由して前記溶接トーチに供給されることを特徴とするトーチコネクションである。
【００１４】
請求項２の発明は、
前記トーチ接続部材に、前記溶接トーチからの制御信号が流れるトーチスイッチピンが設けられ、
前記溶接トーチからの前記制御信号が流れるトーチスイッチコードの先端部が前記トーチスイッチピンに接続され、
ガスノズルの先端部が前記トーチ接続部材の前記ガス穴に挿入され、前記ガスノズルの基端部が前記ワイヤガス電力供給手段に形成された前記ガス流路に挿入されることを特徴とする請求項１記載のトーチコネクションである。
【００１５】
請求項３の発明は、
前記送給ロールによって送給される前記溶接ワイヤをガイドするアウトレットガイドの先端部が前記給電金具の基端部に挿入されたことを特徴とする請求項１又は請求項２記載のトーチコネクションである。
【００１６】
請求項４の発明は、
前記係止部が、前記給電金具の外周面に先端部側が拡径するように形成された段部が、前記トーチ接続部材の前記給電金具挿通孔の内周面に、前記給電金具の外周面に形成された前記段部に対応するように先端部側が拡径するように形成された段部に引っ掛かることによって形成されることを特徴とする請求項１〜３のいずれか１項に記載のトーチコネクションである。
【００１７】
請求項５の発明は、
前記係止部が、前記給電金具の先端部に雄ねじが形成され、前記トーチ接続部材の前記給電金具挿通孔の内部に、前記給電金具の前記雄ねじに対応した雌ねじが形成されて、前記トーチ接続部材の基端部から前記給電金具の先端部が挿入されて、ねじ止めされて形成され、
前記トーチ接続部材が金属で形成されることを特徴とする請求項１〜３のいずれか１項に記載のトーチコネクションである。
【００１９】
請求項６の発明は、
請求項１〜５のいずれか１項に記載のトーチコネクションを使用することを特徴とする溶接ワイヤ送給装置である。
【００２０】
請求項７の発明は、
請求項１〜５のいずれか１項に記載のトーチコネクションに使用される前記トーチ接続部材と前記給電金具とからなるトーチ接続給電部材である。
【発明の効果】
【００２１】
本発明のトーチコネクション、溶接ワイヤ送給装置及びトーチ接続給電部材は、トーチ接続給電部材を、２つのトーチスイッチピンと、ガス穴と、給電金具の形状及び位置が異なるトーチ接続給電部材（以下、異なる仕様のトーチ接続給電部材という）に、容易に交換することができる。
【図面の簡単な説明】
【００２２】
【図１】本発明の溶接ワイヤ送給装置３１のワイヤ送給部３２を示す図である。
【図２】本発明の溶接ワイヤ送給装置３１のトーチコネクション３３を先端部側左上から見た斜視図である。
【図３】本発明の溶接ワイヤ送給装置３１のトーチコネクション３３を先端部側左上から見たときの分解斜視図である。
【図４】本発明の溶接ワイヤ送給装置３１のトーチコネクション３３を先端部側右上から見たときの分解斜視図である。
【図５】本発明の溶接ワイヤ送給装置３１のトーチコネクション３３を基端部側左上から見たときの分解斜視図である。
【図６】本発明の溶接ワイヤ送給装置３１のトーチコネクション３３を基端部側右上から見たときの分解斜視図である。
【図７】従来技術の溶接ワイヤ送給装置１を示す図である。
【図８】従来技術の溶接ワイヤ送給装置１のワイヤ送給部４を示す図である。
【図９】従来技術の溶接ワイヤ送給装置１のトーチコネクション１３の部分断面図である。
【図１０】従来技術及び本発明の溶接ワイヤ送給装置の２種類のトーチコネクションの接続箇所を示す図である。
【発明を実施するための形態】
【００２３】
発明の実施の形態を実施例に基づき図面を参照して説明する。
【００２４】
図１は、本発明の溶接ワイヤ送給装置３１のワイヤ送給部３２を示す図であり、図２は、本発明の溶接ワイヤ送給装置３１のトーチコネクション３３を先端部側左上から見た斜視図であり、図３（Ａ）は、本発明の溶接ワイヤ送給装置３１のトーチコネクション３３を先端部側左上から見たときの分解斜視図であり、図３（Ｂ）は、本発明の溶接ワイヤ送給装置３１のトーチコネクション３３を先端部側左上から見たときに、トーチ接続給電部材を取り外したときの斜視図であって、２種類のトーチ接続給電部材を示している。図４は、本発明の溶接ワイヤ送給装置３１のトーチコネクション３３を先端部側右上から見たときの分解斜視図であり、図４（Ｂ）は、本発明の溶接ワイヤ送給装置３１のトーチコネクション３３を先端部側右上から見たときの斜視図であり、２種類のトーチ接続給電部材を示している。図５（Ａ）は、本発明の溶接ワイヤ送給装置３１のトーチコネクション３３を基端部側左上から見たときの分解斜視図であり、図５（Ｂ）は、本発明の溶接ワイヤ送給装置３１のトーチコネクション３３を基端部側左上から見たときの斜視図であり、２種類のトーチ接続給電部材を示している。図６は、本発明の溶接ワイヤ送給装置３１のトーチコネクション３３を基端部側右上から見たときの分解斜視図である。
【００２５】
図１において、図８に示した従来技術の溶接ワイヤ送給装置１のワイヤ送給部４と同機能に同符号を付して、説明を省略する。図８に示した従来技術の溶接ワイヤ送給装置１のワイヤ送給部４と異なるトーチコネクション３３について、図１〜図６を参照して説明する。トーチコネクション３３は、溶接ワイヤ送給装置３１の溶接ワイヤ１６の送出口に設けられている。図７に示した従来技術の溶接ワイヤ送給装置１と同様に、トーチコネクション３３の先端部に溶接トーチ７が接続される。トーチコネクション３３の内部に、溶接ワイヤ１６が挿通されて、一線式パワーケーブル１５によってガイドされて溶接トーチ７に送給される。シールドガス及び電力がトーチコネクション３３に供給されて、一線式パワーケーブル１５によって溶接トーチ７に供給される。
【００２６】
トーチコネクション３３は、トーチ接続給電部材とワイヤガス電力供給手段とから成る。トーチ接続給電部材は、トーチ接続部材３４と給電金具３５とから成る。トーチ接続部材３４は、先端部に溶接トーチ７が接続される。トーチ接続部材３４の軸心方向にガス穴３４ｂが貫通されて形成され、トーチ接続部材３４の内部に給電金具３５が挿通される給電金具挿通孔３４ａが形成されている。また、トーチ接続部材３４に、溶接トーチ７からの制御信号が流れるトーチスイッチピン２３ａ、２３ｂが２個設けられている。図５に示すように、溶接トーチ７からの制御信号が流れるトーチスイッチコード３６の先端部が、トーチ接続部材３４の基端部側からトーチスイッチピン２３ａ、２３ｂに接続されている。ガスノズル３４ｂの先端部が、トーチ接続部材３４の基端部側からガス穴３４ｂに挿入されている。
【００２７】
給電金具３５は金属で形成され、給電金具３５の基端部が、トーチ接続部材３４の先端部側から、トーチ接続部材３４の給電金具挿通孔３４ａに挿通されて、給電金具３５の外周面に形成された段部がトーチ接続部材３４の給電金具挿通孔３４ａの内周面に形成された段部に引っ掛かかる。この段部の形状は、図９に示した従来技術の溶接ワイヤ送給装置１のトーチコネクション１３のトーチ接続部材１７と給電金具１８とのそれぞれの段部の形状と同じであるので、図示を省略する。給電金具３５は、トーチ接続部材３４の給電金具挿通孔３４ａの全体に亘って挿通されている。トーチ接続部材３４に接続される一線式パワーケーブル１５の給電部（図示省略）が、トーチコネクション３３の給電金具３５と接触するために、トーチ接続部材３４は、金属で形成される必要はない。
【００２８】
給電金具３５は、軸心部にアウトレットガイド３７が挿入されるアウトレットガイド挿入孔（図示省略）が形成されている。アウトレットガイド３７の先端部に雄ねじが形成され、給電金具３５のアウトレットガイド挿入孔の内部に、アウトレットガイド３７の雄ねじに対応した雌ねじが形成されている。給電金具３５の基端部からアウトレットガイド３７の先端部が挿入されて、ねじ止めされ固定されている。アウトレットガイド３７は、溶接ワイヤ１６が挿通される溶接ワイヤ挿通孔（図示省略）が形成され、送給ロール８ｂによって送給される溶接ワイヤ１６がガイドされる。
【００２９】
ワイヤガス電力供給手段は、ガスホースパワーケーブル接続部材３８と、給電ブロック３９と、ベースプレート４０とから成る。ガスホースパワーケーブル接続部材３８は金属で形成され、軸心方向に、給電金具３５が挿通される給電金具挿通孔３８ａが形成されている。また、ガスホースパワーケーブル接続部材３８は、ガスホースが流れるガス流路３８ｂが内部に形成され、トーチ接続部材３４のガスノズル３４ｂの基端部が、ガスホースパワーケーブル接続部材３８のガス流路３８ｂに挿入されている。また、ガスホースパワーケーブル接続部材３８の下端部の側面にガスホース接続部材３８ｃが取り付けられていて、ガスホース接続部材３８ｃにガスホース２０（図９（Ａ）参照）が接続される。ガスホースパワーケーブル接続部材３８の上端部に、パワーケーブル（図示省略）が接続されている。
【００３０】
給電ブロック３９は、金属で形成され、下端部が割れた半割構造である。給電ブロック３９前面は、ガスホースパワーケーブル接続部材３８の後面にねじ止めされている。給電ブロック３９の内部に、給電金具３５が挿通される給電金具挿通孔３９ａが形成されている。また、給電ブロック３９には、給電金具３５の基端部に形成された溝３５ａに引っ掛かるストッパ３９ｂが設けられている。給電ブロック３９に取り付けられたクランプノブ３９ｃを回転させることによって、ストッパ３９ｂが給電ブロック３９の給電金具挿通孔の半径方向に移動する。
【００３１】
ガスホースパワーケーブル接続部材３８の側面の一方が、ベースプレート４０にねじ止めされている。ベースプレート４０の基端部に、アウトレットガイド３７が挿通されるアウトレットガイド挿通筒４０ａが設けられている。アウトレットガイド挿通筒４０ａは、ワイヤ送給装置本体２に取り付けられている。
【００３２】
以下、動作を説明する。溶接電源装置（図示省略）からパワーケーブル（図示省略）によって供給された電力が、ガスホースパワーケーブル接続部材３８に供給されて、給電ブロック３９及び給電金具３５を経由して、一線式パワーケーブル１５によって、溶接トーチ７へ供給される。また、ガスボンベ（図示省略）からガスホース２０によって供給されたシールドガスは、ガスホースパワーケーブル接続部材３８に設けられたガスホース接続部材３８ｃから供給されて、ガスホースパワーケーブル接続部材３８のガス流路３８ｂを流れて、トーチ接続部材３４のガスノズル３４ｂ及びガス穴３４ｂを流れて、一線式パワーケーブル１５によって、溶接トーチ７へ供給される。
【００３３】
溶接トーチ７のトーチスイッチ（図示省略）を操作させたときに発生する制御信号が、一線式パワーケーブル１５によって、トーチ接続部材３４の２つのトーチスイッチピン２３ａ，２３ｂを経由して、トーチスイッチコード３６を流れて、制御ケーブル４１によって溶接電源（図示省略）へ供給される。
【００３４】
ワイヤ送給装置本体２に取り付けられたワイヤリール３から送り出された溶接ワイヤ１６は、ワイヤ送給装置本体２に取り付けられたワイヤ送給部３２に挿入される。送給ロール８ｂによって送出された溶接ワイヤ１６が、ワイヤ送給部３２の溶接ワイヤ１６の送出部に取り付けられたアウトレットガイド３７によってガイドされて、一線式パワーケーブル１５によって、溶接トーチ７へ送給される。
【００３５】
トーチコネクション３３は、溶接トーチ７の一線式パワーケーブル１５を機械的に溶接ワイヤ送給装置３１に接続するとともに、溶接ワイヤ送給装置３１から溶接トーチ７へ溶接ワイヤ１６、電力及びシールドガスを供給し、溶接トーチ７からの制御信号を溶接電源へ供給するためのトーチスイッチコード３６を接続する機能がある。
【００３６】
次に、溶接ワイヤ送給装置３１のトーチコネクション３３のトーチ接続部材３４と給電金具３５とから成るトーチ接続給電部材を、異なる仕様のトーチ接続給電部材に交換する場合を説明する。まず、トーチ接続部材３４に接続されたトーチスイッチコード３６のコネクタ３６ａを制御ケーブル４１のコネクタ４１ａから取り外す。そして、給電ブロック３９に取り付けられたクランプノブ３９ｃを回転させて給電ブロック３９の半割構造の締め付けを緩めて、ストッパ３９ｂを移動させて、ストッパ３９ｂと給電金具３５の溝３５ａとの引っ掛かりを外して、トーチ接続部材３４と給電金具３５とから成るトーチ接続給電部材の給電金具３５を、給電ブロック３９とガスホースパワーケーブル接続部材３８とから引き抜く。
【００３７】
異なる仕様のトーチ接続給電部材を用意する。異なる仕様のトーチ接続給電部材の給電金具３５と、給電金具３５に取り付けられたアウトレットガイド３７とを、ガスホースパワーケーブル接続部材３８の給電金具挿通孔３８ａと給電ブロック３９の給電金具挿通孔３９ａとに挿通させる。また、トーチ接続部材３４のガスノズル３４ｂの基端部を、ガスホースパワーケーブル接続部材３８のガス流路３８ｂに挿入しれて、トーチ接続給電部材のガスホースパワーケーブル接続部材３８に対する回転方向の位置決めが行われる。
【００３８】
アウトレットガイド３７を、ベースプレート４０に設けられたアウトレットガイド挿通筒４０ａに挿通させる。そして、給電ブロック３９に取り付けられたクランプノブ３９ｃを回転させて、ストッパ３９ｂを移動させて、ストッパ３９ｂを給電金具３５の溝３５ａに引っ掛けて、給電ブロック３９の半割を締め付ける。このとき、給電金具３５の外周面に形成された段部がトーチ接続部材３４の給電金具挿通孔３４ａの内周面に形成された段部に引っ掛かっている。この結果、トーチ接続部材３４と給電金具３５との軸心方向の位置決めが行われる。トーチ接続部材３４に接続されたトーチスイッチコード３６のコネクタ３６ａを制御ケーブル４１のコネクタ４１ａに接続する。
【００３９】
上述した本発明の溶接ワイヤ送給装置３１のトーチコネクション３３は、トーチ接続給電部材とワイヤガス電力供給手段とから成り、トーチ接続給電部材は、トーチ接続部材３４と給電金具３５とから成り、ワイヤガス電力供給手段は、ガスホースパワーケーブル接続部材３８と、給電ブロック３９と、ベースプレート４０とから成る。
【００４０】
これらの構造によって、トーチ接続部材３４に接続されたトーチスイッチコード３６のコネクタ３６ａを制御ケーブル４１のコネクタ４１ａから取り外して、クランプノブ３９ｃを回転させて、ストッパ３９ｂを移動させて、ストッパ３９ｂと給電金具３５の溝３５ａとの引っ掛かりを外して、給電ブロック３９の半割の締め付けを緩めることによって、トーチ接続部材３４と給電金具３５とを、ガスホースパワーケーブル接続部材３８と給電ブロック３９とから引き抜くことができる。そして、仕様の異なるトーチ接続給電部材の給電金具３５を、ガスホースパワーケーブル接続部材３８の給電金具挿通孔３８ａと給電ブロック３９の給電金具挿通孔３９ａとに挿通させて、クランプノブ３９ｃを回転させて、ストッパ３９ｂが給電ブロック３９の給電金具挿通孔の半径方向に移動して、ストッパ３９ｂを、給電金具３５の溝３５ａに引っ掛ける。また、クランプノブ３９ｃを回転させることによって、給電ブロック３９の半割が締め付けられて、トーチ接続給電部材がガスホースパワーケーブル接続部材３８と給電ブロック３９とに固定される。そして、トーチ接続部材３４に接続されたトーチスイッチコード３６のコネクタ３６ａを、制御ケーブル４１のコネクタ４１ａに接続して、トーチ接続給電部材をワイヤガス電力供給手段に取り付けることができるので、トーチ接続給電部材を仕様の異なるトーチ接続給電部材に、容易に交換することができる。  
【００４１】
また、従来技術の溶接ワイヤ送給装置１のトーチコネクション１３は、アウトレットガイド１２が給電金具１８に送給ロール８ｂ側から挿入されていて、固定されていなかった。そのために、溶接ワイヤ１６の送給に伴って、アウトレットガイド１２が移動して、アウトレットガイド１２の先端部が一線式パワーケーブルの給電部に当接して停止していた。その結果、送給ロール８ｂとアウトレットガイド１２との間の隙間が大きくなって、この間で、溶接ワイヤ１６が座屈する場合があった。しかし、本発明の溶接ワイヤ送給装置３１のトーチコネクション３３は、アウトレットガイド３７が給電金具３５にねじ込まれて固定されているので、溶接ワイヤ１６が座屈することを低減することができる。
【００４２】
溶接ワイヤ１６を直径の異なる溶接ワイヤ１６に変更する場合、アウトレットガイド３７を、変更する溶接ワイヤ１６の直径に対応するアウトレットガイド３７に交換する必要がある。従来技術の溶接ワイヤ送給装置１のトーチコネクション１３は、アウトレットガイド１２を交換するとき、アウトレットガイド１２を溶接トーチ７側から引き抜くことができないために、送給ロール８ｂを取り外してからアウトレットガイド１２を給電金具１８から引き抜いていた。そのために、アウトレットガイド１２を交換することが容易ではなかった。しかし、本発明の溶接ワイヤ送給装置３１のトーチコネクション３３は、トーチ接続給電部材をワイヤガス電力供給手段から容易に取り外すことができるので、アウトレットガイド３７を給電金具３５から取り外したり、取り付けたりすることが容易にでき、工具を使用する必要がないので、アウトレットガイド３７の交換を容易に行うことができる。
【００４３】
上述した本発明の溶接ワイヤ送給装置３１のトーチコネクション３３は、給電金具３５がトーチ接続部材３４の先端部側から給電金具挿通孔３４ａの全体に亘って挿通されているが、この代わりに、給電金具３５の先端部に雄ねじが形成され、トーチ接続部材３４の給電金具挿通孔３４ａの内部に、給電金具３５の雄ねじに対応した雌ねじが形成されて、トーチ接続部材３４の基端部から給電金具３５の先端部が挿入されて、ねじ止めされても良い。この場合は、トーチ接続部材３４に接続される一線式パワーケーブル１５の給電金具（図示省略）が、トーチ接続部材３４の給電金具挿通孔３４ａと接触して、給電金具３５とは接触していないので、トーチコネクション３３の給電金具３５と、一線式パワーケーブル１５の給電金具３５とを導通させるために、トーチ接続部材３４は金属で形成される必要がある。
【００４４】
上述した本発明の溶接ワイヤ送給装置３１のトーチコネクション３３は、トーチ接続給電部材が、トーチ接続部材３４と給電金具３５とから成っているが、トーチ接続部材３４と給電金具３５とが、一体もので形成されていても良い。
【符号の説明】
【００４５】
１            溶接ワイヤ送給装置
２            ワイヤ送給装置本体
３            ワイヤリール
４            ワイヤ送給部
５            ワイヤスタンド
６            モータ
７            溶接トーチ
８ａ、８ｂ        送給ロール
９ａ、９ｂ        加圧ロール
１０            インレットガイド
１１            センターガイド
１２            アウトレットガイド
１３            トーチコネクション
１５            一線式パワーケーブル
１６            溶接ワイヤ
１７            トーチ接続部材
１７ａ            給電金具挿通孔
１７ｂ            給電金具挿通孔の段部
１８            給電金具
１８ｂ            給電金具の段部
１９            給電ブロック
２０            ガスホース
２１            トーチスイッチコード
２１ａ            コネクタ
２３ａ、２３ｂ        トーチスイッチピン
２４            ガス穴
３１            溶接ワイヤ送給装置
３２            ワイヤ送給部
３３            トーチコネクション
３４            トーチ接続部材
３４ａ            トーチ接続部材の給電金具挿通孔
３４ｂ            ガスノズル
３５            給電金具
３５ａ            給電金具の溝
３６            トーチスイッチコード
３６ａ            トーチスイッチコードのコネクタ
３７            アウトレットガイド
３８            ガスホースパワーケーブル接続部材
３８ａ            ガスホースパワーケーブル接続部材の給電金具挿通孔
３８ｂ            ガス流路
３８ｃ            ガスホース接続部材
３９            給電ブロック
３９ａ            給電ブロックの給電金具挿通孔
３９ｂ            ストッパ
３９ｃ            クランプノブ
４０            ベースプレート
４０ａ            アウトレットガイド挿通筒
４１            制御ケーブル
４１ａ            制御ケーブルのコネクタ
【図１】
0006359383.tif 000002
【図２】
0006359383.tif 000003
【図３】
0006359383.tif 000004
【図４】
0006359383.tif 000005
【図５】
0006359383.tif 000006
【図６】
0006359383.tif 000007
【図７】
0006359383.tif 000008
【図８】
0006359383.tif 000009
【図９】
0006359383.tif 000010
【図１０】
0006359383.tif 000011